(57)【要約】【課題】  短時間で効率的にスライドを視聴することができるスライドコンテンツ要約装置を提供する。【解決手段】  スライドコンテンツ要約装置１は、各スライドの説明時間を記録する頁時間記録手段２１と、スライドの総説明時間に対して各スライドの説明時間の偏差値を計算する時間偏差計算手段２２と、各スライド内のオブジェクトの個数をオブジェクトの種類毎に計数するオブジェクト計数手段２３と、各スライド内の種類毎のオブジェクト数に基づいて、各スライド内のオブジェクトの割合を計算するオブジェクト構成計算手段２４と、各スライドの説明時間の偏差値および各スライド内のオブジェクトの割合に基づいて、各スライドを分類するスライド分類手段３１と、スライドの内容をスライド分類手段３１が分類した項目毎に配置して表示するための情報を生成するスライド表示手段３３とを備える。【選択図】          図１
2006106902.tif 000002
【特許請求の範囲】
【請求項１】
スライドの総説明時間に対して各スライドの説明時間の偏差値を計算する計算手段と、
前記各スライド内の種類毎のオブジェクト数に基づいて、前記各スライド内のオブジェクトの割合を計算する割合計算手段と、
前記各スライドの説明時間の偏差値および前記各スライド内のオブジェクトの割合に基づいて、前記各スライドを分類する分類手段と
を備えることを特徴とするスライドコンテンツ処理装置。
【請求項２】
前記スライドコンテンツ処理装置は更に、前記スライドの内容を前記分類手段が分類した項目毎に配置して表示するための情報を生成する表示手段を備えることを特徴とする請求項１記載のスライドコンテンツ処理装置。
【請求項３】
前記スライドコンテンツ処理装置は更に、前記各スライドの説明時間を記録する記録手段を備えることを特徴とする請求項１または請求項２記載のスライドコンテンツ処理装置。
【請求項４】
前記スライドコンテンツ処理装置は更に、前記各スライド内のオブジェクトの個数をオブジェクトの種類毎に計数する計数手段を備えることを特徴とする請求項１から請求項３のいずれか一項に記載のスライドコンテンツ処理装置。
【請求項５】
前記スライドコンテンツ処理装置は更に、前記分類手段が計算する閲覧タイプおよび該閲覧タイプ内のスコアに基づいて、ヘッドラインリストおよびアーティクルリストを作成し、前記スライドを構造化するスライド構造化手段を備えることを特徴とする請求項２から請求項４のいずれか一項に記載のスライドコンテンツ処理装置。
【請求項６】
前記ヘッドラインリストは、すべてのスライドの中で、見出し語に分類されるスライドのみを含むことを特徴とする請求項５記載のスライドコンテンツ処理装置。
【請求項７】
前記アーティクルリストは、すべてのスライドの中で、前記ヘッドラインリストが含む見出し語に分類されるスライドと、見だし語に分類される次のスライドの間に含まれる見出し語以外に分類されるスライドのみを含むことを特徴とする請求項５記載のスライドコンテンツ処理装置。
【請求項８】
前記アーティクルリストは、リストが要素として含むスライドの順序について、閲覧タイプ内のスコアに従い降順にリストすることを特徴とする請求項５記載のスライドコンテンツ処理装置。
【請求項９】
前記スライド構造化手段は、前記ヘッドラインリストが含む見出し語に分類されるスライドと、前記アーティクルリストが含む見出し語と見出し語の間に含まれる見出し語以外のスライドのリストを連結して、二次元リストを生成することを特徴とする請求項５記載のスライドコンテンツ処理装置。
【請求項１０】
前記オブジェクトの種類は、テキストオブジェクト、イメージオブジェクトおよびグラフィクスオブジェクトのうちの少なくともいずれか一つを含むことを特徴とする請求項４記載のスライドコンテンツ処理装置。
【請求項１１】
前記割合計算手段は、前記各スライドを、テキストオブジェクトおよびテキスト以外のオブジェクトのうちのいずれか一方に分類して、前記各スライド内のオブジェクトの割合を計算することを特徴とする請求項１記載のスライドコンテンツ処理装置。
【請求項１２】
前記分類手段は、前記各スライドを閲覧、精読、傾聴および見出し語のうちの少なくともいずれかに分類することを特徴とする請求項１記載のスライドコンテンツ処理装置。
【請求項１３】
前記分類手段は、前記計算手段が計算した各スライドの説明時間の偏差値を、原点を５０として正方向に高い偏差値および負方向に低い偏差値を割り当て、前記割合計算手段が計算した各スライドのテキストオブジェクトの割合からテキストオブジェクト以外のオブジェクトの割合の差分を計算して、原点を０として片極にテキストオブジェクトおよび、片極にテキストオブジェクト以外のオブジェクトを割り当てることを特徴とする請求項１から請求項５のいずれか一項に記載のスライドコンテンツ処理装置。
【請求項１４】
前記分類手段は、前記各スライドを、前記各スライドの説明時間の偏差値および前記各スライド内のオブジェクトの割合の２軸から構成される二次元平面の４象限に対して、前記各スライドの説明時間の偏差値が原点から見て正、前記各スライド内のオブジェクトの割合がテキストの象限を精読に分類し、前記各スライドの説明時間の偏差値が原点から見て正、前記各スライド内のオブジェクトの割合がテキスト以外の象限を傾聴に分類し、前記各スライドの説明時間の偏差値が原点から見て負、前記各スライド内のオブジェクトの割合がテキストの象限を見出し語に分類し、前記各スライドの説明時間の偏差値が原点から見て負、前記各スライド内のオブジェクトの割合がテキスト以外の象限を閲覧に分類することを特徴とする請求項１３記載のスライドコンテンツ処理装置。
【請求項１５】
前記表示手段は、表示装置の画面サイズに応じてレイアウトの変更、スライドの追加表示、スライドへの内容要約の付加表示を行う補正手段を備えることを特徴とする請求項２記載のスライドコンテンツ処理装置。
【請求項１６】
前記表示手段は、前記分類手段が分類した項目の見出しを表示することを特徴とする請求項２記載のスライドコンテンツ処理装置。
【請求項１７】
前記項目の見出しは、閲覧、精読、傾聴および見出し語のうちの少なくともいずれか一つを含むことを特徴とする請求項１６記載のスライドコンテンツ処理装置。
【請求項１８】
前記スライドの内容は、前記スライドの縮小画像および前記スライドのタイトルのうちの少なくともいずれか一方を含むことを特徴とする請求項２記載のスライドコンテンツ処理装置。
【請求項１９】
スライドの総説明時間に対して各スライドの説明時間の偏差値を計算する計算ステップと、
前記各スライド内の種類毎のオブジェクト数に基づいて、前記各スライド内のオブジェクトの割合を計算する割合計算ステップと、
前記各スライドの説明時間の偏差値および前記各スライド内のオブジェクトの割合に基づいて、前記各スライドを分類する分類ステップと
を有することを特徴とするスライドコンテンツ処理方法。
【請求項２０】
前記スライドコンテンツ処理方法は更に、前記スライドの内容を前記分類ステップで分類した項目毎に配置して表示するための情報を生成するステップを有することを特徴とする請求項１９記載のスライドコンテンツ処理方法。
【請求項２１】
スライドの総説明時間に対して各スライドの説明時間の偏差値を計算する計算ステップ、
前記各スライド内の種類毎のオブジェクト数に基づいて、前記各スライド内のオブジェクトの割合を計算する割合計算ステップ、
前記各スライドの説明時間の偏差値および前記各スライド内のオブジェクトの割合に基づいて、前記各スライドを分類する分類ステップをコンピュータに実行させるプログラム。
【請求項２２】
前記プログラムは更に、前記スライドの内容を前記分類ステップで分類した項目毎に配置して表示するための情報を生成するステップを前記コンピュータに実行させる請求項２１記載のプログラム。
【発明の詳細な説明】
【技術分野】
【０００１】
本発明は、スライドコンテンツ処理装置、スライドコンテンツ処理方法およびプログラムに関する。
【背景技術】
【０００２】
従来、資料としてスライドを使う会議やプレゼンテーションに関して、資料が含むページ毎のスライド、および、それが議論、説明されるときの音声を記録しておき、会議の不参加者があとからスライドを閲覧しながら音声を聞き、会議内容を視聴したり、また、プレゼンテーションの不参加者が、あとからスライドを閲覧しながら音声を聞き、プレゼンテーション内容を視聴したりして会議やプレゼンテーションを支援する技術が提案されている（従来技術１）。また、このようなものとして以下のような特許文献が提案されている。
【０００３】
特許文献１記載の表示装置は、マルチメディアデータの内容を簡単に把握可能な代表図面の作成と、作成された代表図面を用いて要約の表示を行う。特許文献２記載のシステムは、会議等におけるプレゼンテーションで用いられる資料とこの資料を説明する映像・音声を対応付けて記録することにより、資料と映像・音声とを同期させて再生できるようにする。特許文献３記載のシステムは、クライアントが所望のセッション部分のシーンを視聴することができるようにコンテンツを配信する。
【０００４】
【特許文献１】特開１１−２４２５４２号公報
【特許文献２】特開２００２−１０９０９９号公報
【特許文献３】特開２００２−３０４４２０号公報
【発明の開示】
【発明が解決しようとする課題】
【０００５】
しかしながら、従来技術１の方法では、プレゼンテーションで利用されたスライドを順番に視聴していかないと内容を把握することができず、実際に会議やプレゼンテーションがおこなわれた場合と同じくらいの時間を要するという問題がある。また、特許文献１記載の表示装置では、代表図面だけでは、利用者が探しているスライドを発見することができないという問題もある。
【０００６】
また、特許文献２記載のシステムでは、会議内容を振り返るためにサーバに記録された映像、スライドや音声を閲覧するためにはデスクトップＰＣが必要であり、オフィスを離れて閲覧することが難しい。また、オフィスにおいて、過去の会議データを閲覧するためのまとまった時間を確保することは難しいという問題がある。また、特許文献３記載のシステムでは、検索により所望のセッション部分のシーンを見付けるのは困難であるという問題がある。
【０００７】
そこで、本発明は、上記問題点に鑑みてなされたもので、短時間で効率的にスライドを視聴することができるスライドコンテンツ処理装置、スライドコンテンツ処理方法、およびプログラムを提供することを目的とする。
【課題を解決するための手段】
【０００８】
上記課題を解決するために、本発明は、スライドの総説明時間に対して各スライドの説明時間の偏差値を計算する計算手段と、前記各スライド内の種類毎のオブジェクト数に基づいて、前記各スライド内のオブジェクトの割合を計算する割合計算手段と、前記各スライドの説明時間の偏差値および前記各スライド内のオブジェクトの割合に基づいて、前記各スライドを分類する分類手段とを備える。本発明によれば、各スライドの説明時間の偏差値および各スライド内のオブジェクトの割合に基づいて、各スライドを分類することで、視聴者は短時間で効率的にスライドを閲覧することができる。
【０００９】
本発明のスライドコンテンツ処理装置は更に、前記スライドの内容を前記分類手段が分類した項目毎に配置して表示するための情報を生成する表示手段を備える。本発明によれば、本発明によれば、スライドの内容を分類した項目毎に配置して表示することで、一目で分類の分かる表示を提供することができる。
【００１０】
本発明のスライドコンテンツ処理装置は更に、前記各スライドの説明時間を記録する記録手段を備える。本発明によれば、各スライドの説明時間を自動的に記録することができる。
【００１１】
本発明のスライドコンテンツ処理装置は更に、前記各スライド内のオブジェクトの個数をオブジェクトの種類毎に計数する計数手段を備える。本発明によれば、各スライド内のオブジェクトの個数をオブジェクトの種類毎に計数することができる。
【００１２】
本発明のスライドコンテンツ処理装置は更に、前記分類手段が計算する閲覧タイプおよび該閲覧タイプ内のスコアに基づいて、ヘッドラインリストおよびアーティクルリストを作成し、前記スライドを構造化するスライド構造化手段を備える。見出し語に分類されるスライドは、プレゼンテーションや会議の中で、内容の区切りに挿入される傾向が高い。本発明によれば、見出し語スライドだけを表示するヘッドラインリストと、該ヘッドラインリストが含む各見出し語スライドに関連するスライドのみを抽出して、各スライドを閲覧タイプ内のスコアに従い降順にリストするアーティクルリストを連携し、プレゼンテーションや会議スライドを内容の区切り単位および重要度順に、効率的に見ることができる。
【００１３】
前記ヘッドラインリストは、すべてのスライドの中で、見出し語に分類されるスライドのみを含む。
【００１４】
また、前記アーティクルリストは、すべてのスライドの中で、前記ヘッドラインリストが含む見出し語に分類されるスライドと、見だし語に分類される次のスライドの間に含まれる見出し語以外に分類されるスライドのみを含む。また、前記アーティクルリストは、リストが要素として含むスライドの順序について、閲覧タイプ内のスコアに従い降順にリストする。
【００１５】
また、前記スライド構造化手段は、前記ヘッドラインリストが含む見出し語に分類されるスライドと、前記アーティクルリストが含む見出し語と見出し語の間に含まれる見出し語以外のスライドのリストを連結して、二次元リストを生成する。前記オブジェクトの種類は、テキストオブジェクト、イメージオブジェクトおよびグラフィクスオブジェクトのうちの少なくともいずれか一つを含む。
【００１６】
前記割合計算手段は、前記各スライドを、テキストオブジェクトおよびテキスト以外のオブジェクトのうちのいずれか一方に分類して、前記各スライド内のオブジェクトの割合を計算する。本発明によれば、各スライドを、テキストオブジェクトおよびテキスト以外のオブジェクトに分類することで、簡単に各スライド内のオブジェクトの割合を計算することができる。ここで、テキスト以外のオブジェクトには、図形オブジェクト、画像オブジェクト、映像オブジェクト、音声オブジェクトおよび参照子オブジェクト等が含まれる。
【００１７】
前記分類手段は、前記各スライドを閲覧、精読、傾聴および見出し語のうちの少なくともいずれかに分類する。本発明によれば、各スライドを閲覧、精読、傾聴および見出し語に分類することで、これらのカテゴリーに応じて各スライドを見ることができる。
【００１８】
前記分類手段は、前記計算手段が計算した各スライドの説明時間の偏差値を、原点を５０として正方向に高い偏差値および負方向に低い偏差値を割り当て、前記割合計算手段が計算した各スライドのテキストオブジェクトの割合からテキストオブジェクト以外のオブジェクトの割合の差分を計算して、原点を０として片極にテキストオブジェクトおよび、片極にテキストオブジェクト以外のオブジェクトを割り当てる。本発明によれば、各スライドの説明時間の偏差値とオブジェクトの割合に応じて分類することができる。
【００１９】
前記分類手段は、前記各スライドを、前記各スライドの説明時間の偏差値および前記各スライド内のオブジェクトの割合の２軸から構成される二次元平面の４象限に対して、前記各スライドの説明時間の偏差値が原点から見て正、前記各スライド内のオブジェクトの割合がテキストの象限を精読に分類し、前記各スライドの説明時間の偏差値が原点から見て正、前記各スライド内のオブジェクトの割合がテキスト以外の象限を傾聴に分類し、前記各スライドの説明時間の偏差値が原点から見て負、前記各スライド内のオブジェクトの割合がテキストの象限を見出し語に分類し、前記各スライドの説明時間の偏差値が原点から見て負、前記各スライド内のオブジェクトの割合がテキスト以外の象限を閲覧に分類する。
【００２０】
前記表示手段は、表示装置の画面サイズに応じてレイアウトの変更、スライドの追加表示、スライドへの内容要約の付加表示を行う補正手段を備える。本発明によれば、表示装置の表示領域のサイズに応じた表示が可能となる。
【００２１】
前記表示手段は、前記分類手段が分類した項目の見出しを表示する。本発明によれば、分類した項目毎の見出し語を表示することで、分類された項目を一目で知ることができる。
【００２２】
前記項目の見出しは、閲覧、精読、傾聴および見出し語のうちの少なくともいずれか一つを含む。本発明によれば、閲覧、精読、傾聴、見出し語の４項目の見出しにより、興味のあるスライドを簡単に見付けることができる。
【００２３】
前記スライドの内容は、前記スライドの縮小画像および前記スライドのタイトルのうちの少なくともいずれか一方を含む。本発明によれば、分類した項目の見出しと、スライドの縮小画像またはスライドのタイトルを表示することで、利用者は短時間で効率良く必要なスライドを見ることができる。
【００２４】
本発明は、スライドの総説明時間に対して各スライドの説明時間の偏差値を計算する計算ステップと、前記各スライド内の種類毎のオブジェクト数に基づいて、前記各スライド内のオブジェクトの割合を計算する割合計算ステップと、前記各スライドの説明時間の偏差値および前記各スライド内のオブジェクトの割合に基づいて、前記各スライドを分類する分類ステップとを有するスライドコンテンツ処理方法である。本発明によれば、各スライドの説明時間の偏差値および各スライド内のオブジェクトの割合に基づいて、各スライドを分類することで、視聴者は短時間で効率的にスライドを閲覧することができる。
【００２５】
前記スライドコンテンツ処理方法は更に、前記スライドの内容を前記分類ステップで分類した項目毎に配置して表示するための情報を生成するステップを有する。本発明によれば、スライドの内容を分類した項目毎に配置して表示することで、一目で分類の分かる表示を提供することができる。
【００２６】
本発明は、スライドの総説明時間に対して各スライドの説明時間の偏差値を計算する計算ステップ、前記各スライド内の種類毎のオブジェクト数に基づいて、前記各スライド内のオブジェクトの割合を計算する割合計算ステップ、前記各スライドの説明時間の偏差値および前記各スライド内のオブジェクトの割合に基づいて、前記各スライドを分類する分類ステップをコンピュータに実行させるプログラムである。本発明によれば、各スライドの説明時間の偏差値および各スライド内のオブジェクトの割合に基づいて、各スライドを分類することで、視聴者は短時間で効率的にスライドを閲覧することができる。
【００２７】
本発明のプログラムは更に、前記スライドの内容を前記分類ステップで分類した項目毎に配置して表示するための情報を生成するステップを前記コンピュータに実行させる。本発明によれば、スライドの内容を分類した項目毎に配置して表示することで、一目で分類の分かる表示を提供することができる。
【発明の効果】
【００２８】
本発明によれば、短時間で効率的にスライドを閲覧することができるスライドコンテンツ処理装置、スライドコンテンツ処理方法、およびスプログラムを提供できる。
【発明を実施するための最良の形態】
【００２９】
以下、本発明を実施するための最良の形態について説明する。図１は、本実施形態によるスライドコンテンツ要約装置（スライドコンテンツ処理装置）の全体構成を示す図である。図１に示すように、スライドコンテンツ要約装置１は、プレゼンテーション記録装置２およびスライド内容要約装置３を備える。このスライドコンテンツ要約装置１は、例えばＣＰＵ（Central Processing Unit）、ＲＯＭ（Read Only Memory）、ＲＡＭ（Random Access Memory）、画像処理装置等を用いて構成することができる。
【００３０】
プレゼンテーション記録装置２は、プレゼンテーション中の画像、音声等を記録し、ファイルとして保存する。スライド内容要約装置３は、要約したスライドを表示するものである。プレゼンテーション記録装置２は、頁時間記録手段２１、時間偏差計算手段２２、オブジェクト計数手段２３およびオブジェクト構成計算手段２４を備える。スライドは単一頁または複数頁から構成される。
【００３１】
頁時間記録手段２１は、プレゼンテーション中に、各スライドの説明時間を頁単位で自動的に記録する。例えば、頁時間記録手段２１は、１ページ目のスライドの説明時間が「１０秒」、２ページ目のスライドの説明時間が「１５秒」、３ページ目のスライドの説明時間が「３３秒」、４ページ目のスライドの説明時間が「１２５秒」のように頁単位で自動的に記憶していく。頁時間記録手段２１は、スライドの切り替えを検出して、各スライドの説明開始時間と説明終了時間を特定し、各スライドの説明終了時間と説明開始時間の差分がスライドの説明時間となる。
【００３２】
時間偏差計算手段２２は、全てのスライドの総説明時間に対して、頁時間記録手段２１において記録した各頁単位のスライドの説明時間から、各スライドの説明時間の偏差値を計算する。オブジェクト計数手段２３は、各スライドが含むオブジェクトの個数をオブジェクトの種類毎に頁単位で計数し、オブジェクト計数リストに記録する。ここで、オブジェクトの種類には、例えばテキスト、イメージおよびグラフィクス等を含む。
【００３３】
オブジェクト構成計算手段２４は、オブジェクト計数手段２３が数えた各スライド内の種類毎のオブジェクト数に基づいて、各スライド内のオブジェクトの割合を計算し、スライド毎のオブジェクトの構成を分析する。例えば、オブジェクト構成計算手段２４は、同一頁内の総オブジェクト数に対する割合を計算する際に、スライドは、テキスト、イメージ、グラフィクス、表、ビデオ、音声などに分類して、同一頁内の総オブジェクト数に対する割合を計算する。なお、以下では、オブジェクト構成計算手段２４は、テキストオブジェクトとテキスト以外のオブジェクトの割合を計算する例について説明する。
【００３４】
スライド内容要約装置３は、スライド分類手段３１、スライド構造化手段３２、スライド表示手段３３を備える。スライド分類手段３１は、各スライドの説明時間の偏差値および各スライドのオブジェクトの割合に基づいて、スライドを頁単位で分類する。例えば、スライド分類手段３１は、各スライドの説明時間およびオブジェクト数に基づいて、スライドを、例えば、「閲覧」、「精読」、「傾聴」、「見出し語」に分類する。また、スライド分類手段３１は、閲覧タイプと閲覧タイプ内のスコアを計算する。
【００３５】
閲覧タイプは、スライドを視聴する際に、「主に図表を見る」、「主に文章を読む」、「主に説明を聴く」、「流し見る」という４つの視聴方法を示唆する。本実施形態では、「主に図表を見る」タイプのスライドを、たとえば「閲覧」と称しているが、「主に図表を見る」、「見る」、「よく見る」などの表現を用いてもよい。また、「主に文章を読む」タイプのスライドを、たとえば「精読」と称しているが、「主に文章を読む」、「読む」、「よく読む」などの表現を用いてもよい。また、「主に説明を聴く」タイプのスライドを、たとえば「傾聴」と称しているが、「主に説明を聴く」、「聴く」、「よく聴く」などの表現を用いてもよい。また、「流し見る」タイプのスライドを、たとえば「見出し語」と称しているが、「流し見る」、「ざっと見る」、「ななめ読み」などの表現を用いてもよい。
【００３６】
閲覧タイプ内のスコアは、前記の各視聴タイプが含む各々のスライド毎に、その視聴タイプ内で順位づけをするために数値化した、各視聴タイプ内でのスライドの重要度を意味する。閲覧タイプ内のスコアは、時間偏差計算手段２２が計算した、各々のスライド毎の偏差値と、オブジェクト構成分析手段２４が計算した、各々のスライドが含むオブジェクトの割合の差分、の積を計算してその絶対値を、スコアとする。
【００３７】
スライド構造化手段３２は、スライドを構造化するものであり、スライド分類手段３１が計算した閲覧タイプおよび閲覧タイプ内のスコアに基づいて、ヘッドラインリストおよびアーティクルリストを作成する。ヘッドラインリストおよびアーティクルリストについては後述する。
【００３８】
スライド表示手段３３は、レイアウト手段３４、サイズ補正手段３５および構造化レイアウト手段３６を備える。スライド表示手段３３は、スライドの内容をスライド分類手段３１が分類した項目毎に配置して表示するための情報を生成する。このスライドの内容は、例えばスライドの縮小画像およびスライドのタイトルである。また、スライド表示手段３３は、スライド分類手段３１が分類した項目の見出しを表示する。ここで、項目の見出しは、例えば閲覧、精読、傾聴および見出し語である。
【００３９】
レイアウト手段３４は、スライド分類手段３１が分類したスライドを例えば新聞紙のような一覧性の高いレイアウトで配置する。サイズ補正手段３５は、表示装置の画面サイズに応じてレイアウトの変更、スライドの追加表示、スライドへの内容要約の付加表示を行う。構造化レイアウト手段３６は、スライド構造化手段３２で構造化したスライドを使って、スライドを構造的に表示する構造化スライドビューを表示するための情報を生成する。
【００４０】
次に、スライド頁内のオブジェクト配置例について説明する。図２は、スライド頁内オブジェクト配置例を示す図である。図２において、Ｓはスライド頁、Ｔはスライド頁Ｓ内のオブジェクトであり、スライド頁Ｓ内には文字列（テキスト）Ｔ１、文字列Ｔ２、図形Ｔ３、文字列Ｔ４、文字列Ｔ５、画像Ｔ６、文字列Ｔ７のオブジェクトを含む。
【００４１】
次に、オブジェクト計数リストについて説明する。図３は、オブジェクト計数リストの例を示す図である。図３に示すように、オブジェクト計数リスト４０は、日付、場所、総ページ数、ページ番号、説明開始時間、説明終了時間、テキストオブジェクトの割り合い、テキスト以外のオブジェクトの割り合い、テキストオブジェクト数、図形オブジェクト数、画像オブジェクト数、映像オブジェクト数、音声オブジェクト数、参照子オブジェクト数、２ページ目のオブジェクトの計数情報、３ページ目のオブジェクトの計数情報等を含む。ここで、テキストオブジェクト数、図形オブジェクト数、画像オブジェクト数、映像オブジェクト数、音声オブジェクト数、参照子オブジェクト数は、オブジェクト計数手段２３により記述される。
【００４２】
テキストオブジェクトの割合およびテキスト以上のオブジェクトの割合は、オブジェクト構成計算手段２４により記述される。なお、図３では、オブジェクト計数リスト４０をＸＭＬ（eXtensible Markup Language）で記述した例である。
複数のスライドで一つのオブジェクト計数リスト４０が作成される。図３に示す例では、１ページ目のスライド部分を詳細に示している。ＯＳ（Operating System）は、例えばＰｏｗｅｒＰｏｉｎｔ等のアプリケーションが立ち上がった際に、ＰｏｗｅｒＰｏｉｎｔの中身を抽出し、ライブラリーを作成する。オブジェクト計数手段２３は、このライブラリーの中から、オブジェクト情報を抽出して、ＸＭＬの形式にすることで、図３に示すようなオブジェクト計数リスト４０を作成する。
【００４３】
次に、プレゼンテーション記録の処理について説明する。図４は、プレゼンテーション記録の処理フローチャートである。ステップＳ１０１で、頁時間記録手段２１は、オブジェクト計数リスト４０を作成し、このオブジェクト計数リスト４０に頁番号を記録し、説明開始時間を記録する。頁番号は１頁目から記録される。ステップＳ１０２で、オブジェクト計数手段２３は、各スライドが含むオブジェクトの個数をオブジェクトの種類毎に計数し、記録する。ステップＳ１０３で、頁時間記録手段２１は、スライドを切り替えたかどうかを判断する。例えば、スライドが１頁目から２頁目に切り替わった場合、スライドが切り替わったと判断される。
【００４４】
ステップＳ１０３で、頁時間記録手段２１は、スライドが切り替えられたと判断した場合は、ステップＳ１０４に進み、オブジェクト計数リスト４０に頁番号を記録し、説明終了時間を記録し、ステップＳ１０３に戻る。ステップＳ１０３で、スライドを切り替えていないと判断した場合、ステップＳ１０５に進み、スライドが終了したかどうかを判断し、スライドが終了した場合、ステップＳ１０３に進む。ステップＳ１０３で、スライドを切り替えたと判断した場合、ステップＳ１０６で、オブジェクト構成計算手段２４は、オブジェクト計数手段２３が数えたオブジェクト数に基づいて、同一頁内の総オブジェクト数に対する割合を計算し、スライド毎のオブジェクトの構成を分析する。
【００４５】
次に、上記ステップＳ１０２のオブジェクト計数手段２３での処理について説明する。図５は、オブジェクト計数手段２３の処理フローチャートである。ステップＳ２０１で、オブジェクト計数手段２３は、オブジェクト計数リスト４０へ頁データを追加する。ステップＳ２０２で、オブジェクト計数手段２３は、スライドからオブジェクトをフェッチする。
【００４６】
ステップＳ２０３で、オブジェクト計数手段２３は、オブジェクトが空でないと判断した場合、ステップＳ２０５に進み、オブジェクトの種類を判断し、オブジェクトが文字オブジェクトの場合、ステップＳ２０６で、文字オブジェクト数に「１」を加算し、オブジェクトが図形オブジェクトの場合、ステップＳ２０７で、図形オブジェクト数に「１」を加算し、オブジェクトが画像オブジェクトの場合、ステップＳ２０８で、画像オブジェクト数に「１」を加算し、オブジェクトが映像オブジェクトの場合、ステップＳ２０９で、映像オブジェクト数に「１」を加算し、オブジェクトが音声オブジェクトの場合、ステップＳ２１０で、音声オブジェクト数に「１」を加算し、オブジェクトが参照子オブジェクトの場合、ステップＳ２１１で、参照子オブジェクト数に「１」を加算する。
【００４７】
オブジェクト計数手段２３は、図３で示したオブジェクト計数リスト４０のテキストオブジェクト数、図形オブジェクト数、画像オブジェクト数、映像オブジェクト数、音声オブジェクト数および参照子オブジェクト数をそれぞれインクリメントする。ステップＳ２０３で、オブジェクト計数手段２３は、オブジェクトが空かどうかを判断し、オブジェクトが空の場合、ステップＳ２０４で、オブジェクト計数リスト４０の頁データへ計数結果を追加し、処理を終了する。
【００４８】
次に、上記ステップＳ１０６のオブジェクト構成計算手段２４での処理について説明する。図６は、オブジェクト構成計算手段２４での処理フローチャートである。ステップＳ３０１で、オブジェクト構成計算手段２４は、オブジェクト計数リスト４０から、次の頁データをフェッチする。ステップＳ３０２で、オブジェクト構成計算手段２４は、頁データが空かどうかを判断し、頁データが空であると判断した場合、処理を終了し、頁データが空でないと判断した場合、ステップＳ３０３に進む。ステップＳ３０３で、オブジェクト構成計算手段２４は、頁データ内からオブジェクトをフェッチする。
【００４９】
ステップＳ３０４で、オブジェクト構成計算手段２４は、オブジェクトが空かどうかを判断し、オブジェクトが空であると判断した場合、ステップＳ３０５で、頁内の総オブジェクト数に対するテキストオブジェクト数、およびテキスト以外のオブジェクト数の比率（割合）を計算し、各オブジェクトの比率をオブジェクト計数リスト４０へ追加する。ステップＳ３０４で、オブジェクト構成計算手段２４は、オブジェクトが空でないと判断した場合、ステップＳ３０６で、テキストオブジェクトかどうかを判断し、オブジェクトがテキストオブジェクトであると判断した場合、ステップＳ３０７で、テキストオブジェクト数に「１」を加算し、ステップＳ３０３に戻る。
【００５０】
ステップＳ３０６で、オブジェクト構成計算手段２４は、オブジェクトがテキストオブジェクトであると判断した場合、ステップＳ３０８で、テキスト以外のオブジェクト数に「１」を加算し、ステップＳ３０３に戻り、スライド全頁に対して各スライドのオブジェクトの割合を計算する。
【００５１】
図７は、スライド毎のオブジェクトの割合を説明するための図である。オブジェクト構成計算手段２４がオブジェクト計数手段２３が数えたオブジェクト数に基づいて、計算した同一頁内の総オブジェクト数に対する割合を以下に示す。図７に示すように、スライドＳ１は、頁内に１個のテキストオブジェクトと、１個のテキスト以外のオブジェクトとを含むため、テキストオブジェクトの割合が「５０％」、テキスト以外のオブジェクトの割合が「５０％」になる。
【００５２】
スライドＳ２は、頁内に１個のテキストオブジェクトと、５個のテキスト以外のオブジェクトとを含むため、テキストオブジェクトの割合が約「１６．７％」、テキスト以外のオブジェクトの割合が約「８３．３％」になる。スライドＳ３は、頁内に５個のテキストオブジェクトと、８個のテキスト以外のオブジェクトとを含むため、テキストオブジェクトの割合が約「３８．５％」、テキスト以外のオブジェクトの割合が約「６１．５％」になる。スライドＳ４は、頁内に６個のテキストオブジェクトを含むため、テキストオブジェクトの割合が「１００％」になる。
【００５３】
スライドＳ５は、頁内に５個のテキストオブジェクトを含むため、テキストオブジェクトの割合が「１００％」になる。スライドＳ６は、頁内に１４個のテキストオブジェクトと、２５個のテキスト以外のオブジェクトとを含むため、テキストオブジェクトの割合が約「３５．９％」、テキスト以外のオブジェクトの割合が約「６４．１％」になる。スライドＳ７は、頁内に８個のテキストオブジェクトと、３４個のテキスト以外のオブジェクトとを含むため、テキストオブジェクトの割合が約「１９％」、テキスト以外のオブジェクトの割合が約「８１％」になる。
【００５４】
スライドＳ８は、頁内に１４個のテキストオブジェクトと、７９個のテキスト以外のオブジェクトとを含むため、テキストオブジェクトの割合が約「１５％」、テキスト以外のオブジェクトの割合が約「８５％」になる。スライドＳ９は、頁内に２９個のテキストオブジェクトと、１０個のテキスト以外のオブジェクトとを含むため、テキストオブジェクトの割合が約「７４．４％」、テキスト以外のオブジェクトの割合が約「２５．６％」になる。スライドＳ１０は、頁内に２９個のテキストオブジェクトと、１９個のテキスト以外のオブジェクトとを含むため、テキストオブジェクトの割合が約「６０．４％」、テキスト以外のオブジェクトの割合が約「３９．６％」になる。
【００５５】
スライドＳ１１は、頁内に１０９個のテキストオブジェクトと、１００個のテキスト以外のオブジェクトとを含むため、テキストオブジェクトの割合が約「５２．２％」、テキスト以外のオブジェクトの割合が約「４７．８％」になる。なお、上記では、テキストオブジェクトとテキスト以外のオブジェクトを例にとって説明したが、オブジェクト構成計算手段２４は、同一頁内の総オブジェクト数に対する割合を計算する際に、テキスト、イメージ、グラフィクス、表、ビデオ、音声などに分類して、同一頁内の総オブジェクト数に対する割合を計算するようにしてもよい。
【００５６】
図８は、スライド毎の説明時間とその偏差値の例を示す図である。時間偏差計算手段２２は、全てのスライドの総説明時間に対して、頁時間記録手段２１において記録した各頁単位のスライドの説明時間から、各スライドの説明時間の偏差値を計算する。図８では、各スライドに対するスライド番号、スライド毎の説明時間、偏差値を各スライド毎に示す。時間偏差計算手段２２は、偏差値を、（（説明時間−平均説明時間）／標準偏差）×１０＋５０により求める。図８に示すように、スライドＳ１は、説明時間が「１０秒」、偏差値が「３４．７」であり、同様にして、スライドＳ２乃至Ｓ１１に対しても各スライドの偏差値を計算する。
【００５７】
次に、スライド内容に基づく分類例について説明する。図１１は、スライドの内容に基づく分類例を示す図である。スライド分類手段３１は、各スライドの説明時間の偏差値および各スライドのオブジェクトの割合に基づいて、各スライドを横軸がスライドの説明時間の偏差値、縦軸がスライド内のオブジェクト種別の割合のグラフ上にマッピングする。
【００５８】
具体的には、スライド分類手段３１は、時間偏差計算手段２２が計算した各スライドの説明時間の偏差値を、原点を５０として正方向に高い偏差値および負方向に低い偏差値を割り当て、オブジェクト構成計算手段２４が計算した各スライドのテキストオブジェクトの割合からテキストオブジェクト以外のオブジェクトの割合の差分を計算して、原点を０として片極にテキストオブジェクトおよび、片極にテキストオブジェクト以外のオブジェクトを割り当てる。
【００５９】
このとき、スライド分類手段３１は、各スライドを、各スライドの説明時間の偏差値および前記各スライド内のオブジェクトの割合の２軸から構成される二次元平面の４象限に対して、前記各スライドの説明時間の偏差値が原点から見て正、前記各スライド内のオブジェクトの割合がテキストの象限を「精読」に分類し、前記各スライドの説明時間の偏差値が原点から見て正、前記各スライド内のオブジェクトの割合がテキスト以外の象限を傾聴に「分類」し、前記各スライドの説明時間の偏差値が原点から見て負、前記各スライド内のオブジェクトの割合がテキストの象限を「見出し語」に分類し、前記各スライドの説明時間の偏差値が原点から見て負、前記各スライド内のオブジェクトの割合がテキスト以外の象限を「閲覧」に分類する。また、スライド分類手段３１は、時間偏差計算手段２２が計算した、各々のスライド毎の偏差値と、オブジェクト構成分析手段２４が計算した、各々のスライドが含むオブジェクトの割合の差分、の積を計算してその絶対値を、各スライドのスコアとする。
【００６０】
ここで、傾聴とは、耳を傾けて聞くことや熱心に聞くことをいい、説明時間が長く、図や絵の比率が高いスライドがこの傾聴に分類される。精読とは、細かい部分までよく注意して読むことをいい、説明時間が長く、文字の比率が高いスライドがこの精読に分類される。閲覧とは、図書や書類を調べることをいい、説明時間が短く、図や絵の比率が高いスライドがこの閲覧に分類される。説明時間が短く、文字の比率が高いスライドはキーワードが入っていることが多く、見出し語に分類される。
【００６１】
図９は、スライド分類手段３１の処理フローチャートである。ステップＳ４０１で、スライド分類手段３１は、Ｎ＝１から開始する。ステップＳ４０２で、スライド分類手段３１は、プレゼンテーション記録装置２からスライドＮページ目の情報を取得する。ステップＳ４０３で、スライド分類手段３１は、スライドが終了していなければ、ステップＳ４０４で、Ｘ＝（テキストオブジェクトの割合）−（テキスト以外のオブジェクトの割合）を計算する。ステップＳ４０５で、スライド分類手段３１は、閲覧タイプ分類処理を行う。ステップＳ４０６で、スライド分類手段３１は、スライドのＮ頁のスコアＳ＝（スライドの説明時間の偏差値）×｜Ｘ｜を計算する。ステップＳ４０７で、スライド分類手段３１は、スライドのＮページのスコアＳ、閲覧タイプを格納し、Ｎを一つインクリメントしてステップＳ４０２に戻り、ステップＳ４０３で、スライドが終了した場合、処理を終了する。
【００６２】
図１０は、ステップＳ４０５のスライド分類手段３１の閲覧タイプ分類時の処理フローチャートである。なお、閲覧タイプは上述したように、精読、傾聴、閲覧である。ステップＳ５０１で、スライド分類手段３１は、Ｘ＞０の場合、ステップＳ５０２で、オブジェクトのタイプを「テキスト」とし、ステップＳ５０３で、スライドの説明時間の偏差値＞５０の場合、ステップＳ５０４で、スライドの閲覧タイプを「精読」に分類する。ステップＳ５０３で、スライドの説明時間の偏差値＞５０でない場合、ステップＳ５０５に進み、スライドの説明時間の偏差値＜５０の場合、ステップＳ５０６で、スライドの閲覧タイプを「見出し」に分類し、ステップＳ５０５で、スライドの説明時間の偏差値＝５０の場合、ステップＳ５０７で、スライドの閲覧タイプを「ｋｒ」に分類する。ステップＳ５０１で、Ｘ＞０でない場合、ステップＳ５０８に進み、Ｘ＜０の場合、ステップＳ５０９で、オブジェクトのタイプを「オブジェクト」とし、ステップＳ５１０で、スライドの説明時間の偏差値＞５０の場合、ステップＳ５１１で、スライドの閲覧タイプを「傾聴」に分類する。
【００６３】
ステップＳ５１０で、スライドの説明時間の偏差値＞５０でない場合、ステップＳ５１２で、スライドの説明時間の偏差値＜５０の場合、ステップＳ５１３で、閲覧タイプを「閲覧」に分類する。ステップＳ５１２で、スライドの説明時間の偏差値＝５０の場合、スライドの閲覧タイプを「ｗｌ」に分類する。ステップＳ５０８で、Ｘ＜０でない場合、ステップＳ５１５で、オブジェクトのタイプを「ｔｏ」とし、ステップＳ５１６で、スライドの説明時間の偏差値＞５０の場合、ステップＳ５１７で、スライドの閲覧タイプを「ｌｒ」に分類する。ステップＳ５１６で、スライドの説明時間の偏差値＞５０でない場合、ステップＳ５１８で、スライドの説明時間の偏差値＜５０の場合、ステップＳ５１９で、スライドの閲覧タイプを「ｗｋ」に分類する。ステップＳ５１８で、スライドの説明時間の偏差値＜５０でない場合、ステップＳ５２０で、スライドの閲覧タイプを「０」に分類する。
【００６４】
次に、同一象限内のスライド選択順序の決定方法について説明する。図１２は、同一象限内のスライド選択順序の決定方法を示す図である。図１４は、横書きのレイアウト例を示す図である。図１５は、縦書きのレイアウトの例を示す図である。図１６は、画面サイズに応じたレイアウトの例を示す図である。スライド表示手段３３は、図１１で示したスライドの内容に基づく分類結果から、図１４、図１５、図１６で示すレイアウトによる要約を生成するために、各スライドが閲覧、傾聴、精読、見出し語の４つの分類項目に各々分類されるとき、各分類項目に複数のスライドが含まれる場合、各スライドがマッピングされる座標と原点を対角とする矩形の面積が大きい順序でスライドの選択順序を決定する。
【００６５】
図１２で、「閲覧」象限に二枚のスライド、ＡおよびＢが含まれ、各々の座標が、Ａ（ｘ１、Ｙ１）、Ｂ（ｘ２、Ｙ２）であるとする。
・|ｘ１|×|ｙ１|＜|ｘ２|×|ｙ２|であれば、選択順序はＢ、Ａとなる。
・|ｘ１|×|ｙ１|＞|ｘ２|×|ｙ２|であれば、選択順序はＡ、Ｂとなる。
・|ｘ１|×|ｙ１|＝|ｘ２|×|ｙ２|であれば、スライド番号が小さい順序でスライドを選択する。たとえば、スライドＡがスライド３番、スライドＢがスライド５番であれば、選択順序はＡ、Ｂとなる。
【００６６】
図１３は、分類に基づくスライドの構造化の例を説明するための図であり、（ａ）は各スライド毎の閲覧タイプと閲覧タイプ内のスコアを示す図、（ｂ）はスライド構造リスト４１を示す図である。スライド分類手段３１は、各スライド毎の閲覧タイプと、各閲覧タイプ内でのスコアを計算する。図１３（ａ）では、スライド分類手段３１が各スライド毎の閲覧タイプとその閲覧タイプ内でのスコアを計算した例を示しており、例えば、スライドＳ１は、閲覧タイプが「見出し」、閲覧タイプ内スコアが「０」で、スライドＳ１１は、閲覧タイプが「傾聴」、閲覧タイプ内のスコアが「２５４．０」である。同図（ｂ）に示すスライド構造リスト４１は、閲覧タイプとして「見出し」に分類されるスライドを、プレゼンテーション中に表示された順序でリストしたヘッドラインリスト４２、およびヘッドラインリスト４２の各見出しスライドから、その見出しスライドに従属するスライドをスコア順でリストした、アーティクルリスト４３で構成される。
【００６７】
次に、スライド構造化手段３２がスライド構造リスト４１を生成する処理の流れを図１３を用いて説明する。（１）最初に、スライド構造化手段３２は、スライド分類手段３１が分類した閲覧タイプを検索して、「見出し」に分類されるスライドを抽出する。（２）次に、スライド構造化手段３２は、抽出した見出しスライドを、プレゼンテーションで使われた順序でリストして、ヘッドラインリスト４２を作成する。（３）次に、スライド構造化手段３２は、（２）で作成したヘッドラインリスト４２が含む見出しについて、プレゼンテーションでスライドが表示された順序で、次の見出しとスライドとの間に表示されたスライドを抽出する。
【００６８】
（４）次に、スライド構造化手段３２は、ヘッドラインリスト４２が含む各見出しについて、（３）で抽出したスライドを、その閲覧タイプ内スコアで降順にソートする。（５）スライド構造化手段３２は、（４）で降順にソートしたスライドを、（２）で作成したヘッドラインリスト４２の各見出しに連結して、アーティクルリスト４３を作成する。
【００６９】
このように、ヘッドラインリスト４２は、すべてのスライドの中で、見出し語に分類されるスライドのみを含むとよい。また、アーティクルリスト４３は、すべてのスライドの中で、ヘッドラインリスト４２が含む見出し語に分類されるスライドと、見だし語に分類される次のスライドの間に含まれる見出し語以外に分類されるスライドのみを含むとよい。また、アーティクルリスト４３は、リストが要素として含むスライドの順序について、閲覧タイプ内のスコアに従い降順にリストされる。スライド構造化手段３２は、ヘッドラインリスト４２が含む見出し語に分類されるスライドと、アーティクルリスト４３が含む見出し語と見出し語の間に含まれる見出し語以外のスライドのリストを連結して、二次元リストを生成する。
【００７０】
次に、図１４を使って、横書きのレイアウト例について説明する。表示装置の表示画面５０には、日付５１、会議名５２、大見出しとしてスライドタイトル５３、小見出しとなる分類項目として、閲覧５４、傾聴５５、精読５６、見出し５７、閲覧５４内のスライド頁タイトル５８、傾聴５５内のスライド頁タイトル５９、精読５６内のスライド頁タイトル６０、見出し５７内の見出し語６１、閲覧５４内のスライドイメージ縮小画像（サムネイル）６２、傾聴５５内のスライドイメージ縮小画像６３、精読５６内のスライドイメージ縮小画像６４が表示される。これにより、新聞紙をメタファーとした、大見出し、小見出し、およびスライドイメージによる階層表現で容易に一覧することができる。よって、利用者はカテゴリーに応じてスライドを見ることができる。
【００７１】
次に、図１５を使って、縦書きのレイアウト例について説明する。表示画面７０は、日付７１、会議名７２、大見出しとしてスライドタイトル７３、小見出しとなる分類項目として、閲覧７４、傾聴７５、精読７６、見出し７７、閲覧７４内のスライドタイトル７８、傾聴７５内のスライドタイトル７９、精読７６内のスライドタイトル８０、見出し７７内の見出し語８１、閲覧７４内のスライドイメージ縮小画像（サムネイル）８２、傾聴７５内のスライドイメージ縮小画像８３、精読７６内のスライドイメージ縮小画像８４を含む。これにより、新聞紙をメタファーとした、大見出し、小見出し、およびスライドイメージによる階層表現で容易に一覧することができる。よって、利用者はカテゴリーに応じてスライドを見ることができる。なお、例えば英語のスライドであれば図１４に示すような横書きで、例えば日本語のスライドであれば、図１５に示すような縦書きでレイアウトすると良い。
【００７２】
次に、図１６を用いて、画面サイズに応じたレイアウトの例について説明する。
図１６（ａ）はＰＤＡのレイアウト例を示す図、（ｂ）はデスクトップのレイアウト例を示す図、（ｃ）はプラズマ等の大型モニタのレイアウト例を示す図である。ＰＤＡや携帯電話のような携帯端末９０は、個人ユーザが携帯して主にオフィス外で利用する。このため、４型前後の小型表示領域９１を有する。また、デスクトップＰＣに接続されたデスクトップモニタ１００は、主にオフィスでデスクワーク用途で利用される。このため、１５〜２４型前後の中型表示領域１０１を有する。また、プラズマディスプレイパネル（ＰＤＰ）のような大型モニタ１１０は、４０〜６０型前後の大型表示領域１１１を有する。
【００７３】
スライド表示手段３３は、図１６（ａ）に示すように、携帯端末向けには、閲覧、傾聴、精読について、図１２で説明した選択順序に従い、第一番目のスライドおよびそのタイトルのみを表示する。あるいは、スライド表示手段３３は、第二番目のスライド、第三番目のスライドを縦方向に表示して、ユーザが携帯端末のスクロール機能を利用し、これらを閲覧するようにレイアウトすることは容易に実現できる。また、スライド表示手段３３は、図１６（ｂ）および（ｃ）に示すように、デスクトップモニタ１００やプラズマ等大型モニタ１１０では、表示領域が広く、閲覧、傾聴、精読の各項目について、第一番目、第二番目のスライドおよび各々のタイトルを表示する。
【００７４】
また、スライド表示手段３３は、第三番目以降のスライドを表示して、スクロールによりそれらを閲覧するようにレイアウトする。また、スライド表示手段３３は、デスクトップモニタやプラズマ等大型モニタ向けには、「精読」に分類されたスライドに、スライドの内容要約を付加して表示することができる。内容要約では、あらかじめ登録した要約を表示すること、サイズ補正手段３５で自然言語処理技術を利用して生成した自動要約結果を用いることができる。
【００７５】
次に、複数セットのスライドの本実施形態によるスライドコンテンツ要約装置を適用した場合の例について説明する。図１７は、複数セットのスライドをレイアウトした例を示す図である。符号１２０は表示領域を示す。図１７を用いて、複数セットのスライドをレイアウトする例を示す。例として、各々が複数ページで構成される、４つのスライドセットＡ、Ｂ、ＣおよびＤを仮定する。このとき、時間偏差計算手段２２は、Ａ、Ｂ、ＣおよびＤの４スライドセット毎の総説明時間をすべて総計した時間を総説明時間として、各スライドページごとに、各スライドのページ単位の説明時間の偏差値を再計算する。
【００７６】
次に、スライドセットＡ、Ｂ、ＣおよびＤを１つのスライドセットとして、スライド内容要約装置３へ与えれば、スライド分類手段３１によりスライドＡ、Ｂ、ＣおよびＤのすべてのスライドを分類して、スライド表示手段３３により図１７に示すように、複数セットのスライドをレイアウトする。これにより、テーマごとにスライドセットをデータベースＤＢ上に分類しておくことで、データベースＤＢの内容を要約した視覚的なインデックスとして利用することができる。
【００７７】
次に、スライド構造化手段３２で構造化したスライドを使って、スライドを構造的に表示する構造化スライドビュー１２９の例について説明する。図１８は、構造化スライドビュー１２９の例を示す図である。構造化レイアウト手段３６は、スライド構造化手段３２で構造化したスライドを使って、スライドを構造的に表示する構造化スライドビュー１２９を表示するための情報を生成する。構造化スライドビュー１２９は、ヘッドラインビュー１３０とアーティクルビュー１４０で構成され、図１３で説明したスライド構造リスト４１を可視化するものである。ヘッドラインビュー１３０は、日付１３１、スライドタイトル１３２、閲覧タイプ１３３乃至１３５、見出しタイトル１３６乃至１３８、スライダーバー１３９を含む。アーティクルビュー１４０は、閲覧タイプ１４１乃至１４３、スライドタイトル１４４及び１４５、もどるボタン１４６、スライダーバー１４７を含む。
【００７８】
ヘッドラインビュー１３０は、スライド構造化手段３２が生成したスライド構造リスト４１の見出しを抽出して一覧表示する。ヘッドラインビュー１３０で表示される任意の見出しを、クリックすると、アーティクルビュー１４０に切り替わる。アーティクルビュー１４０は、選択した見出しにリンクされたスライドのリストをスライド構造リスト４１から抽出して、一覧表示する。アーティクルビュー１４０からヘッドラインビュー１３０へ戻る際には、「もどる」ボタン１４６を押す。
【００７９】
図１９は、スライドの一覧表示に視聴方法のリコメンデーションを付加する例について説明するための図である。ここでは、プレゼンテーションや会議で使われたスライドを一覧表示する際に、スライドの縮小画像、スライドのタイトル、およびそのスライドの閲覧タイプを併記して、１ページ目から最終ページまでのすべてのスライドをリスト表示する例を示す。スライド一覧１５０は、各スライドの縮小画像１５１乃至１５３、スライドタイトル１５４乃至１５６、閲覧タイプ１５７乃至１５９、重要度１６０乃至１６２およびスライダーバー１６３を含む。スライドの重要度１６０乃至１６２は、スライド分類手段３１が分類したスライドの重要度を使って計算することができる。スライド分類手段３１は、各スライド毎の閲覧タイプおよび、重要度スコアを計算する。この重要度スコアで降順にスライドをソートすれば、重要なスライドから順番に並べることができる。
【００８０】
たとえば、「閲覧」に５枚のスライドが分類され、現在表示されているスライドのスコアが３番目であれば、スライドの重要度を、３／５×１００（％）＝６０（％）とする。本一覧表示では、ユーザはプレゼンテーションあるいは会議で使われたすべてのスライドを、リストをスクロールさせることで容易に一覧でき、かつ各スライドのタイトル、閲覧タイプ、あるいは重要度を参考にして、視聴が必要なスライドを選択することができる。
【００８１】
また、本実施形態の変形として、スライド縮小画像、閲覧タイプ、重要度の組み合わせによる一覧表示、スライド番号、スライドタイトル、閲覧タイプ、重要度の組み合わせによる一覧表示、スライド縮小画像、スライドタイトル、重要度の組み合わせによる一覧表示、スライド縮小画像、重要度の組み合わせによる一覧表示、スライド縮小画像、閲覧タイプの組み合わせによる一覧表示、スライド縮小画像、重要度の組み合わせによる一覧表示、など表示する項目の組み合わせを変えることで、画面のサイズに応じた情報量で、スライドを一覧表示できる。
【００８２】
次に、プレゼンテーション記録の閲覧時に、閲覧方法をリコメンデーションする例について説明する。図２０は、プレゼンテーション記録装置２が記録したプレゼンテーション記録の閲覧時に、閲覧方法をリコメンデーションする閲覧ビューア１８１の例を示す図である。図２０には、閲覧ビューア１８１の機能配置例を示している。閲覧ビューア１８１上に、スライドビューア１８２、前スライドボタン１８３、スライド先頭ボタン１８４、次スライドボタン１８５、スライド最後尾ボタン１８６、閲覧タイプインジケータ１８７、重要度インジケータ１８８を配置する。
【００８３】
閲覧ビューア１８１は、閲覧するスライドの全体図を表示する。符号１８３から１８６はスライドを制御するスライド制御ボタンである。前スライドボタン１８３は、スライドビューア１８２に表示中のスライドの前のスライドを表示する。次スライドボタン１８５は、スライドビューア１８２に表示中のスライドの次のスライドを表示する。スライド先頭ボタン１８４は、スライドの１ページ目を表示する。スライド最後尾ボタン１８６は、スライドの最後のページを表示する。閲覧タイプインジケータ１８７は、スライド分類手段３１が分類したスライドのタイプを表示する。
【００８４】
重要度インジケータ１８８は、スライド分類手段３１が分類したスライドの重要度を表示する。スライド分類手段３１では、各スライド毎の閲覧タイプおよび、重要度スコアを計算する。この重要度スコアで降順にスライドをソートすれば、重要なスライドから順番に並べることができる。重要度インジケータでは、降順にソートしたスライドの順序を使って重要度を算出して表示する。たとえば、「閲覧」に５枚のスライドが分類され、現在表示されているスライドのスコアが３番目であれば、３／５×１００（％）＝６０（％）を表示する。このとき、重要度インジケータ１８８で示すように、バーグラフで視覚的に表示を補足してもよい。
【００８５】
閲覧ビューア１８１を利用することで、ユーザは、スライドを閲覧する際にそのスライドをどのように視聴すればよいか判断することができ、かつ、その閲覧タイプ内での相対的な重要性を知ることができる。したがって、ユーザはスライドの内容を視聴する際に、重要度の低いスライドをスキップしたり、傾聴タイプのスライドだけを選択して、視聴するなどして、短時間でプレゼンテーションや会議内容をキャッチアップすることが可能となる。また、外出先でＰＤＡや携帯電話のような小型デバイスを使ってプレゼンテーションや会議内容のスライドを閲覧する際に、精読に分類される文字の多いスライドをスキップして、閲覧や傾聴に分類されるスライドだけを視聴し、オフィスに戻ってから精読のスライドをデスクトップＰＣの画面で確認するという使い方ができる。
【００８６】
以上本実施形態によれば、会議やプレゼンテーションで使われたスライド、および音声を記録し、および会議やプレゼンテーションで記録したスライドおよび音声を、自動的にページ単位で、複数の視聴タイプに分類し、タイプ別に分類済みのスライドを視聴者へ提示すること、および、タイプ別に分類したスライドを、新聞のレイアウトのように、見出し、要約された内容、およびスライドのサムネイル画像の段組で提示することで、会議やプレゼンテーション等に参加できない場合でも、視聴者は効率的にスライドを閲覧し、スライドと音声の視聴をすることができる。
【００８７】
なお、本発明によるスライドコンテンツ処理方法は、例えば、ＣＰＵ、ＲＯＭ、ＲＡＭ等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。
【００８８】
このプログラムは、スライドの総説明時間に対して各スライドの説明時間の偏差値を計算する計算ステップ、前記各スライド内の種類毎のオブジェクト数に基づいて、前記各スライド内のオブジェクトの割合を計算する割合計算ステップ、前記各スライドの説明時間の偏差値および前記各スライド内のオブジェクトの割合に基づいて、前記各スライドを分類する分類ステップ、前記スライドの内容を前記分類ステップで分類した項目毎に配置して表示するための情報を生成するステップをコンピュータに実行させる。なお、頁時間記録手段２１が記録手段に、時間偏差計算手段２２が計算手段に、オブジェクト計数手段２３が計数手段に、オブジェクト構成計算手段２４が割合計算手段に、スライド分類手段３１が分類手段に、スライド表示手段３３が表示手段に、サイズ補正手段３５が補正手段にそれぞれ対応する。
【００８９】
以上本発明の好ましい実施例について詳述したが、本発明は係る特定の実施例に限定されるものではなく、特許請求の範囲に記載された本発明の要旨の範囲内において、種々の変形、変更が可能である。なお、本発明は、会議やプレゼンテーションに関するものに限定されず、教育用、娯楽用など様々な用途に用いることができる。
【図面の簡単な説明】
【００９０】
【図１】本実施形態によるスライドコンテンツ要約装置の全体構成を示す図である。
【図２】スライド頁内オブジェクト配置例を示す図である。
【図３】オブジェクト計数リストの例を示す図である。
【図４】プレゼンテーション記録の処理フローチャートである。
【図５】オブジェクト計数手段のフローチャートである。
【図６】オブジェクト構成計算手段の処理フローチャートである。
【図７】スライド毎のオブジェクトの割合を説明するための図である。
【図８】スライド毎の説明時間とその偏差値の例を示す図である。
【図９】スライド分類手段のフローチャートである。
【図１０】スライド分類手段の閲覧タイプ分類時のフローチャートである。
【図１１】スライドの内容に基づく分類例を示す図である。
【図１２】同一象限内のスライド選択順序の決定方法を示す図である。
【図１３】分類に基づくスライドの構造化の例を説明するための図である。
【図１４】横書きのレイアウトの例を示す図である。
【図１５】縦書きのレイアウトの例を示す図である。
【図１６】画面サイズに応じたレイアウトの例を示す図である。
【図１７】複数セットのスライドをレイアウトした例を示す図である。
【図１８】構造化スライドビューの例を示す図である。
【図１９】スライドの一覧表示に視聴方法のリコメンデーションを付加する例について説明するための図である。
【図２０】プレゼンテーション記録装置が記録したプレゼンテーション記録の閲覧時に、閲覧方法をリコメンデーションする閲覧ビューアの例を示す図である。
【符号の説明】
【００９１】
１  スライドコンテンツ要約装置
２  プレゼンテーション記録装置
２１  頁時間記録手段
２２  時間偏差計算手段
２３  オブジェクト計数手段
２４  オブジェクト構成計算手段
３  スライド内容要約装置
３１  スライド分類手段
３２  スライド構造化手段
３３  スライド表示手段
３４  新聞レイアウト手段
３５  デバイス依存サイズ補正手段
３６  構造化レイアウト手段
【図１】
2006106902.tif 000003
【図２】
2006106902.tif 000004
【図３】
2006106902.tif 000005
【図４】
2006106902.tif 000006
【図５】
2006106902.tif 000007
【図６】
2006106902.tif 000008
【図７】
2006106902.tif 000009
【図８】
2006106902.tif 000010
【図９】
2006106902.tif 000011
【図１０】
2006106902.tif 000012
【図１１】
2006106902.tif 000013
【図１２】
2006106902.tif 000014
【図１３】
2006106902.tif 000015
【図１４】
2006106902.tif 000016
【図１５】
2006106902.tif 000017
【図１６】
2006106902.tif 000018
【図１７】
2006106902.tif 000019
【図１８】
2006106902.tif 000020
【図１９】
2006106902.tif 000021
【図２０】
2006106902.tif 000022